Podtech/llm-jp-corpus-v4-ja_patent huggingface dataset:
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
遊技を行い、遊技者にとって有利な有利状態に制御可能な遊技機であって、
複数の設定値のうちいずれかの設定値に設定可能な設定手段と、
設定された設定値にもとづいて遊技者にとっての有利度が異なるように遊技を進行可能な遊技制御手段と、
電力供給の開始に伴い、前記設定手段による設定値の変更を許可する変更許可状態に制御可能な設定制御手段と、
電力供給の開始に伴い、前記設定手段により設定されている設定値を確認するための設定確認状態に制御可能な設定確認制御手段と、
遊技の進行に応じて動作可能な可動部材と、
前記可動部材を原点位置に復帰させる復帰動作の制御を実行可能な可動制御手段と、
演出の音量の調整に関する動作を検出可能な調整用検出手段と、
前記調整用検出手段による動作の検出にもとづいて演出の音量を複数段階のいずれかに制御する音量制御手段と、
前記変更許可状態に制御されているときと前記設定確認状態に制御されているときとのそれぞれで、前記調整用検出手段による動作の検出にかかわらず前記音量制御手段による制御の実行を制限する制限手段と、を備え、
前記可動制御手段は、電力供給の開始に伴い前記変更許可状態に制御されたときと、電力供給の開始に伴い前記変更許可状態に制御されなかったときとで、共通の前記復帰動作の制御を実行可能であり、
前記変更許可状態の制御に関する報知と、前記設定確認状態の制御に関する報知とで共通の音量により報知音が出力される
ことを特徴とする遊技機。
【手続補正２】
【補正対象書類名】明細書
【補正対象項目名】０００２
【補正方法】変更
【補正の内容】
【０００２】
遊技者にとって有利度が異なる複数の設定値に変更可能な遊技機や、可動部材を原点位置に復帰させることを行う遊技機が提案されている（例えば、特許文献１、特許文献２参照）。さらに、リーチ演出の開始時に、リーチ演出の種類を報知するタイトル表示を行う遊技機が提案されている（例えば特許文献３参照）。
【手続補正３】
【補正対象書類名】明細書
【補正対象項目名】０００３
【補正方法】変更
【補正の内容】
【０００３】
【特許文献１】特開２０１０−２００９０２号公報
【特許文献２】特開２０１６−２２１１５４号公報
【特許文献３】特開２０１６−１０１４２８号公報
【手続補正４】
【補正対象書類名】明細書
【補正対象項目名】０００４
【補正方法】変更
【補正の内容】
【０００４】
上記遊技機では、多様な楽しみ方を提供するため、設定値を変更することが行われる。しかしながら、設定値を変更する作業を行う際に可動部材の動作が妨げとなることがあり、円滑に作業が進められないことがあった。
【手続補正５】
【補正対象書類名】明細書
【補正対象項目名】０００５
【補正方法】変更
【補正の内容】
【０００５】
この発明は、上記の実状に鑑みてなされたものであり、設定値の変更作業に支障が生じることを防止できる遊技機を提供することを目的とする。
【手続補正６】
【補正対象書類名】明細書
【補正対象項目名】０００６
【補正方法】変更
【補正の内容】
【０００６】
（Ａ）上記目的を達成するため、本願発明に係る遊技機は、
遊技を行い、遊技者にとって有利な有利状態（例えば大当り遊技状態など）に制御可能な遊技機（例えばパチンコ遊技機１など）であって、
複数の設定値のうちいずれかの設定値に設定可能な設定手段（例えばステップＳａ１３の設定変更処理を実行するＣＰＵ１０３など）と、
設定された設定値にもとづいて遊技者にとっての有利度が異なるように遊技を進行可能な遊技制御手段（例えばステップＳ２５の特別図柄プロセス処理を実行するＣＰＵ１０３など）と、
電力供給の開始に伴い、前記設定手段による設定値の変更を許可する変更許可状態に制御可能な設定制御手段（例えばステップＳａ６、Ｓａ１２、Ｓａ１３を実行するＣＰＵ１０３など）と、
電力供給の開始に伴い、前記設定手段により設定されている設定値を確認するための設定確認状態に制御可能な設定確認制御手段（例えばステップＡＫＳ００１、ＡＫＳ００２を実行するＣＰＵ１０３など）と、
遊技の進行に応じて動作可能な可動部材（例えば動作用モータＡＫ０１１〜ＡＫ０１３によって動作する第１可動部材、動作用モータＡＫ０１４によって動作する第２可動部材など）と、
前記可動部材を原点位置に復帰させる復帰動作（例えばショートイニシャル動作など）の制御を実行可能な可動制御手段（例えば演出制御用ＣＰＵ１２０など）と、
演出の音量の調整に関する動作を検出可能な調整用検出手段（例えば出力量切替スイッチ７１ＡＫ００１など）と、
前記調整用検出手段による動作の検出にもとづいて演出の音量を複数段階のいずれかに制御する音量制御手段（例えばステップ７１ＡＫＳ０１３の開始時出力切替処理やステップ７１ＡＫＳ０１９の進行中出力変更処理を実行する演出制御用ＣＰＵ１２０など）と、
前記変更許可状態に制御されているときと前記設定確認状態に制御されているときとのそれぞれで、前記調整用検出手段による動作の検出にかかわらず前記音量制御手段による制御の実行を制限する制限手段（例えば図２０−２９の処理の実行中には出力量切替スイッチ７１ＡＫ００１の操作受付無効など）と、を備え、
前記可動制御手段は、電力供給の開始に伴い前記変更許可状態に制御されたときと、電力供給の開始に伴い前記変更許可状態に制御されなかったときとで、共通の前記復帰動作の制御を実行可能であり（例えばステップ７２ＡＫＳ０１２の実行など）、
前記変更許可状態の制御に関する報知と、前記設定確認状態の制御に関する報知とで共通の音量により報知音が出力される（例えば設定変更中報知及び設定確認中報知が最大音量により出力されるなど）。
（１）さらに、本願の他の態様に係る遊技機は、
遊技者にとって有利な有利状態（例えば大当り遊技状態）に制御可能な遊技機（例えばパチンコ遊技機１）であって、
前記有利状態に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図９（Ｄ）、（Ｆ））。
このような構成によれば、演出効果を高めることができる。
【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技者の動作を検出可能な検出手段と、
所定演出を実行可能な所定演出実行手段と、を備え、
前記所定演出は、中断可能な第１所定演出と、中断不可能な第２所定演出と、を含み、
前記所定演出実行手段は、前記第１所定演出の実行中に前記検出手段により遊技者の動作が検出されたことに基づいて、前記第１所定演出を構成する演出態様の少なくとも一部を中断することが可能であり、
前記第１所定演出が中断された場合に、前記有利状態に制御される期待度を示唆する特殊演出を実行可能な特殊演出実行手段をさらに備える、遊技機。
【手続補正２】
【補正対象書類名】明細書
【補正対象項目名】０００６
【補正方法】変更
【補正の内容】
【０００６】
（１）  上記目的を達成するため、本願発明に係る遊技機は、
遊技者にとって有利な有利状態（大当り遊技状態等）に制御可能な遊技機（パチンコ遊技機１等）であって、
遊技者の動作を検出可能な検出手段（プッシュセンサ３５Ｂ等）と、
所定演出（図２６（ｂ）に示す楽譜画像１８４Ｆ００１を表示する第１所定演出等）を実行可能な所定演出実行手段（演出制御用ＣＰＵ１２０等）と、を備え、
前記所定演出は、中断可能な第１所定演出（図２５（ｂ）のような中断可能な第１所定演出等）と、中断不可能な第２所定演出（図２５（ｃ）のような中断不可能な第２所定演出等）と、を含み、
前記所定演出実行手段は、前記第１所定演出の実行中に前記検出手段により遊技者の動作が検出されたことに基づいて、前記第１所定演出を構成する演出態様の少なくとも一部を中断することが可能であり（図２６（ｄ）に示すように、第１所定演出の実行中にプッシュボタン３１Ｂを操作することによってプッシュセンサ３５Ｂにより遊技者の動作が検出されたことに基づいて、第１所定演出を構成するエフェクト画像の付加を中断する等）、
前記第１所定演出が中断された場合に、前記有利状態に制御される期待度を示唆する特殊演出を実行可能な特殊演出実行手段（演出制御用ＣＰＵ１２０は、第１所定演出が中断された場合に、キャラクタ画像１８４Ｆ００２が期待度を示す特殊演出を実行する等）をさらに備える。
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
遊技者による操作によって演出受付が許容される受付演出を発生させる受付演出実行手段と
を備え、
前記受付演出には、第１の受付演出及び第２の受付演出
が少なくとも用意されており、
前記第１の受付演出では、
当該第１の受付演出に対応する受付許容音が可聴出力され、演出受付が許容される設定期間内で操作が検出されない場合、該設定期間内で操作が検出されたときと同じ受付後演出を発生させず、
前記第２の受付演出では、
当該第２の受付演出に対応する受付許容音が可聴出力され、演出受付が許容される設定期間内で操作が検出されない場合、該設定期間内で操作が検出されたときと同じ受付後演出を発生させるようになっており、
さらに、
前記第１の受付演出と前記第２の受付演出とでは遊技者に対して同じ操作を対象にした操作機会が付与されうるが、前記第１の受付演出に対応する演出受付が許容される設定期間内では、前記受付許容音の可聴出力が行われている状態である操作促進可聴状態が相対的に短い第一時間で終了され、前記第２の受付演出に対応する演出受付が許容される設定期間内では、前記受付許容音の可聴出力が行われている状態である操作促進可聴状態が前記第一時間よりも長い第二時間にわたって継続されうるようになっており、
前記第１の受付演出及び前記第２の受付演出のうち少なくとも前記第１の受付演出では、前記受付許容音の可聴出力が行われている状態である前記操作促進可聴状態が終了された以降も、当該受付演出に対応する演出受付が許容される期間が継続されうるようになっており、
さらに、
前記第２の受付演出に対応する演出受付が許容される設定期間内では、前記受付許容音の可聴出力が行われている状態である操作促進可聴状態が前記第一時間よりも長い第二時間にわたって継続される場合と、前記受付許容音の可聴出力が行われている状態である操作促進可聴状態が前記第一時間にわたって継続される場合との両方があり、
さらに、
前記第２の受付演出に対応する演出受付が許容される設定期間が発生する場合は、該期間が発生するよりも前に特定前兆演出が実行可能とされるが、該特定前兆演出は、前記第１の受付演出に対応する演出受付が許容される設定期間が発生するよりも前には出現し得ないものである
ことを特徴とする遊技機。
【手続補正２】
【補正対象書類名】明細書
【補正対象項目名】０００５
【補正方法】変更
【補正の内容】
【０００５】
このような従来の遊技機では、遊技興趣が低下することが懸念される。
【手続補正３】
【補正対象書類名】明細書
【補正対象項目名】０００７
【補正方法】変更
【補正の内容】
【０００７】
手段１：判定を行う判定手段と、
前記判定手段による判定にて所定の結果が得られたことに基づいて遊技者に特典を付与しうる特典付与手段と、
遊技者による操作によって演出受付が許容される受付演出を発生させる受付演出実行手段と
を備え、
前記受付演出には、第１の受付演出及び第２の受付演出
が少なくとも用意されており、
前記第１の受付演出では、
当該第１の受付演出に対応する受付許容音が可聴出力され、演出受付が許容される設定期間内で操作が検出されない場合、該設定期間内で操作が検出されたときと同じ受付後演出を発生させず、
前記第２の受付演出では、
当該第２の受付演出に対応する受付許容音が可聴出力され、演出受付が許容される設定期間内で操作が検出されない場合、該設定期間内で操作が検出されたときと同じ受付後演出を発生させるようになっており、
さらに、
前記第１の受付演出と前記第２の受付演出とでは遊技者に対して同じ操作を対象にした操作機会が付与されうるが、前記第１の受付演出に対応する演出受付が許容される設定期間内では、前記受付許容音の可聴出力が行われている状態である操作促進可聴状態が相対的に短い第一時間で終了され、前記第２の受付演出に対応する演出受付が許容される設定期間内では、前記受付許容音の可聴出力が行われている状態である操作促進可聴状態が前記第一時間よりも長い第二時間にわたって継続されうるようになっており、
前記第１の受付演出及び前記第２の受付演出のうち少なくとも前記第１の受付演出では、前記受付許容音の可聴出力が行われている状態である前記操作促進可聴状態が終了された以降も、当該受付演出に対応する演出受付が許容される期間が継続されうるようになっており、
さらに、
前記第２の受付演出に対応する演出受付が許容される設定期間内では、前記受付許容音の可聴出力が行われている状態である操作促進可聴状態が前記第一時間よりも長い第二時間にわたって継続される場合と、前記受付許容音の可聴出力が行われている状態である操作促進可聴状態が前記第一時間にわたって継続される場合との両方があり、
さらに、
前記第２の受付演出に対応する演出受付が許容される設定期間が発生する場合は、該期間が発生するよりも前に特定前兆演出が実行可能とされるが、該特定前兆演出は、前記第１の受付演出に対応する演出受付が許容される設定期間が発生するよりも前には出現し得ないものである
ことを特徴とする遊技機。
【手続補正４】
【補正対象書類名】明細書
【補正対象項目名】０００８
【補正方法】削除
【補正の内容】
【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
判定を行う判定手段と、
前記判定手段による判定にて所定の結果が得られたことに基づいて遊技者に特典を付与しうる特典付与手段と、
遊技者による操作によって演出受付が許容される受付演出を発生させる受付演出実行手段と
を備え、
前記受付演出には、第１の受付演出及び第２の受付演出が少なくとも用意されており、
前記第１の受付演出では、
当該第１の受付演出に対応する受付許容音が可聴出力され、演出受付が許容される設定時間内で操作が検出されない場合、該設定時間内で操作が検出されたときと同じ受付後演出を発生させず、
前記第２の受付演出では、
当該第２の受付演出に対応する受付許容音が可聴出力され、演出受付が許容される設定時間内で操作が検出されない場合、該設定時間内で操作が検出されたときと同じ受付後演出を発生させるようになっており、
さらに、
前記受付許容音として、第１許容音及び第２許容音を含む複数が用意されており、
前記第１の受付演出では、当該第１の受付演出に対応する受付許容音として前記第１許容音が可聴出力され、前記第２の受付演出では、当該第２の受付演出に対応する受付許容音として、前記第１の受付演出に対応する受付許容音としては可聴出力されることのない前記第２許容音が可聴出力されうるようになっており、
前記第２の受付演出に対応する受付許容音として前記第２許容音が可聴出力されているなかで演出受付がなされた場合、該受付許容音の可聴出力を途中終了させうるようになっており、
さらに、
前記第１の受付演出と前記第２の受付演出とのいずれが発生する場合であっても遊技者による操作対象を示唆する操作対象示唆表示が表示されるようになっており、
前記第１の受付演出と前記第２の受付演出とでは遊技者に対して同じ操作を対象にした操作機会が付与されうるが、前記第２の受付演出が発生する場合、前記第１の受付演出が発生する場合には出現し得ない態様で前記操作対象示唆表示が表示されうるようになっており、
さらに、
前記第２の受付演出に対応する演出受付が許容される設定期間が発生する場合は、該期間が発生するよりも前に特定前兆演出が実行可能とされるが、該特定前兆演出は、前記第１の受付演出に対応する演出受付が許容される設定期間が発生するよりも前には出現し得ないものである
ことを特徴とする遊技機。
【手続補正２】
【補正対象書類名】明細書
【補正対象項目名】０００５
【補正方法】変更
【補正の内容】
【０００５】
このような従来の遊技機では、遊技興趣が低下することが懸念される。
【手続補正３】
【補正対象書類名】明細書
【補正対象項目名】０００７
【補正方法】変更
【補正の内容】
【０００７】
手段１：判定を行う判定手段と、
前記判定手段による判定にて所定の結果が得られたことに基づいて遊技者に特典を付与しうる特典付与手段と、
遊技者による操作によって演出受付が許容される受付演出を発生させる受付演出実行手段と
を備え、
前記受付演出には、第１の受付演出及び第２の受付演出が少なくとも用意されており、
前記第１の受付演出では、
当該第１の受付演出に対応する受付許容音が可聴出力され、演出受付が許容される設定時間内で操作が検出されない場合、該設定時間内で操作が検出されたときと同じ受付後演出を発生させず、
前記第２の受付演出では、
当該第２の受付演出に対応する受付許容音が可聴出力され、演出受付が許容される設定時間内で操作が検出されない場合、該設定時間内で操作が検出されたときと同じ受付後演出を発生させるようになっており、
さらに、
前記受付許容音として、第１許容音及び第２許容音を含む複数が用意されており、
前記第１の受付演出では、当該第１の受付演出に対応する受付許容音として前記第１許容音が可聴出力され、前記第２の受付演出では、当該第２の受付演出に対応する受付許容音として、前記第１の受付演出に対応する受付許容音としては可聴出力されることのない前記第２許容音が可聴出力されうるようになっており、
前記第２の受付演出に対応する受付許容音として前記第２許容音が可聴出力されているなかで演出受付がなされた場合、該受付許容音の可聴出力を途中終了させうるようになっており、
さらに、
前記第１の受付演出と前記第２の受付演出とのいずれが発生する場合であっても遊技者による操作対象を示唆する操作対象示唆表示が表示されるようになっており、
前記第１の受付演出と前記第２の受付演出とでは遊技者に対して同じ操作を対象にした操作機会が付与されうるが、前記第２の受付演出が発生する場合、前記第１の受付演出が発生する場合には出現し得ない態様で前記操作対象示唆表示が表示されうるようになっており、
さらに、
前記第２の受付演出に対応する演出受付が許容される設定期間が発生する場合は、該期間が発生するよりも前に特定前兆演出が実行可能とされるが、該特定前兆演出は、前記第１の受付演出に対応する演出受付が許容される設定期間が発生するよりも前には出現し得ないものである
ことを特徴とする遊技機。
【手続補正４】
【補正対象書類名】明細書
【補正対象項目名】０００８
【補正方法】削除
【補正の内容】
【手続補正書】
【提出日】平成31年4月18日(2019.4.18)
【手続補正１】
【補正対象書類名】特許請求の範囲
【補正対象項目名】請求項２
【補正方法】変更
【補正の内容】
【請求項２】
前記衛生用品は充分な水を予め含み、水を含んだ複数の衛生用品を計量容器内に所定の重さとなるまで投入し、所定の重さの複数の衛生用品を前記分離機の内胴分離槽内に投入することを特徴とする請求項１に記載の衛生用品の処理方法。
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
遊技の履歴に関する遊技情報が記憶可能な記憶手段と、
予め定められた第１条件が充足した場合に前記遊技情報の前記記憶手段への記憶を開始する開始手段と、
予め定められた第２条件が充足した場合に前記遊技情報の記憶を終了する第１終了手段と、
前記第２条件とは異なる第３条件で前記遊技情報の記憶を終了する第２終了手段と、
前記第１終了手段により前記遊技情報の記憶が終了された後、前記記憶手段に記憶されている前記遊技情報に基づく第１情報を表示可能な第１情報表示手段と、
前記第２終了手段により前記遊技情報の記憶が終了された後、前記記憶手段に記憶されている前記遊技情報と少なくとも前回記憶された前記遊技情報とに基づく第２情報を表示可能な第２情報表示手段と、
を備え、
前記記憶手段に少なくとも前回記憶された前記遊技情報が記憶されている場合に、予め定められた遊技内容が実行可能である、
ことを特徴とする遊技機。
【請求項２】
前記遊技機は、パチンコ遊技機である、
請求項１に記載の遊技機。
【手続補正２】
【補正対象書類名】明細書
【補正対象項目名】０００２
【補正方法】変更
【補正の内容】
【０００２】
パチンコ機では、遊技者によるハンドル操作によって打ち出される遊技球が作動入賞口に入賞した場合に、予め定められた特定遊技状態への移行の抽選が行われ、その抽選結果に従った図柄の変動表示が行われる。そして、抽選結果が特定遊技状態への移行当選である場合には、その特定遊技状態に対応して予め定められた回数の可変入賞口の開閉動作が行われ、その可変入賞口への遊技球の入球に応じて賞球の払い出しが行われる。
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
局所麻酔剤を含有するマイクロニードルアレイからなる即効性歯科局所麻酔製剤であって、該マイクロニードルアレイは基板と基板上の複数のマイクロニードルからなり、水溶性高分子を基剤として同一の水溶性高分子から一体的に形成されており、該基板の厚さは５μｍ以上１００μｍ以下の柔軟な基板部を有し、口腔粘膜又は歯茎に貼付することによりニードル部が粘膜内溶解する即効性歯科局所麻酔製剤。
【請求項２】
マイクロニードルアレイの背面に疎水性または非溶解フィルムを裏打ちしている、請求項１に記載の歯科局所麻酔製剤。
【請求項３】
水溶性高分子がヒアルロン酸及びその誘導体、コラーゲン、プロテオグリカン、ヒドロキシプロピルセルロース、コンドロイチン硫酸、カルボキシメチルセルロース、ポリビニルピロリドン、ポリエチレングリコール、並びにデキストランからなる群より選ばれる１種または２種以上である、請求項１又は２に記載の歯科局所麻酔製剤。
【請求項４】
マイクロニードルアレイの基剤が水溶性高分子以外に水溶性低分子化合物を２質量％以上含有する、請求項１〜３いずれか１項に記載の歯科局所麻酔製剤。
【請求項５】
局所麻酔剤がプロカイン、テトラカイン、リドカイン、ジブカイン、ブピバカイン及びそれらの塩からなる群より選ばれる、請求項１〜４のいずれか１項に記載の歯科局所麻酔製剤。
【請求項６】
局所麻酔剤がアミノ安息香酸エチルである、請求項１〜４のいずれか１項に記載の歯科局所麻酔製剤。
【請求項７】
局所麻酔剤がプロカイン、テトラカイン、リドカイン、ジブカイン、ブピバカイン及びそれらの塩からなる群より選ばれる１又は複数とアミノ安息香酸エチルとの混合物である、請求項１〜６のいずれか１項に記載の歯科局所麻酔製剤。
【請求項８】
局所麻酔剤の基剤中の濃度が１質量％以上８０質量％以下である、請求項１〜７のいずれか１項に記載の歯科局所麻酔製剤。
【請求項９】
局所麻酔剤がリドカイン又はその塩である、請求項１〜５、７、８のいずれか１項に記載の歯科局所麻酔製剤。
【請求項１０】
水溶性高分子を基剤とし、基板と基板上の複数のマイクロニードルが同一の水溶性高分子から一体的に形成されており、局所麻酔剤としてアミノ安息香酸エチルを含有するマイクロニードルアレイであって、該マイクロニードルの高さは５０μｍ以上３００μｍ以下であり、該マイクロニードルの先端は直径１μｍ以上５０μｍ以下の円形又はそれと同面積を有する平面であり、該基板の厚さは５μｍ以上１００μｍ以下の柔軟な基板部を有するマイクロニードルアレイ。
【請求項１１】
水溶性高分子がヒアルロン酸及びその誘導体、コラーゲン、プロテオグリカン、ヒドロキシプロピルセルロース、コンドロイチン硫酸、カルボキシメチルセルロース、ポリビニルピロリドン、ポリエチレングリコール、並びにデキストランからなる群より選ばれる１種または２種以上である、請求項１０に記載のマイクロニードルアレイ。
【請求項１２】
基剤が水溶性高分子以外に水溶性低分子化合物を２質量％以上含有する、請求項１０又は１１に記載のマイクロニードルアレイ。
【請求項１３】
局所麻酔剤がプロカイン、テトラカイン、リドカイン、ジブカイン、ブピバカイン及びそれらの塩からなる群より選ばれる１又は複数とアミノ安息香酸エチルとの混合物である、請求項１０〜１２のいずれか１項に記載のマイクロニードルアレイ。
【請求項１４】
局所麻酔剤の基剤中の濃度が１質量％以上８０質量％以下である、請求項１１〜１３のいずれか１項に記載のマイクロニードルアレイ。
【請求項１５】
請求項１０〜１４のいずれか１項に記載のマイクロニードルアレイと、該マイクロニードルアレイの背面に備えられた支持体とからなるマイクロニードルパッチ。
【請求項１６】
支持体が口腔内粘着性を有する、請求項１５に記載のマイクロニードルパッチ。
【請求項１７】
支持体に粘着性物質がコーティングされている、請求項１６に記載のマイクロニードルパッチ。
【請求項１８】
支持体が水溶性である、請求項１６に記載のマイクロニードルパッチ。
【請求項１９】
支持体がフィルム状であり、一部にフィルムを含まない欠損部分を有する、請求項１５〜１８のいずれか１項に記載のマイクロニードルパッチ。
【請求項２０】
支持体が滅菌紙であり、マイクロニードルアレイを内包する外枠を形成している、請求項１５〜１８のいずれか１項に記載のマイクロニードルパッチ。
【手続補正書】
【提出日】令和1年11月11日(2019.11.11)
【手続補正１】
【補正対象書類名】特許請求の範囲
【補正対象項目名】請求項７
【補正方法】変更
【補正の内容】
【請求項７】
請求項６に記載の車両制御装置であって、
前記操作受付時間を、当該車両の周囲の環境の危険性が高くなるにつれて小さく設定するように構成された時間設定部（１６：Ｓ２３０、Ｓ３３０）、
をさらに備える車両制御装置。
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
酸化チタン、酸化鉄、酸化亜鉛、酸化アルミニウム、酸化鉛及び酸化錫から選ばれる金属酸化物を含む粉体粒子を、分子構造中に酸素原子を有する油剤に浸漬させることを特徴とする、粉体粒子表面の改質方法。
【請求項２】
前記粉体粒子が、酸化チタンを含む粉体粒子であることを特徴とする、請求項１に記載の粉体粒子表面の改質方法。
【請求項３】
前記粉体粒子が、前記金属酸化物を主たる成分として含む粉体粒子であることを特徴とする、請求項１又は２に記載の粉体粒子表面の改質方法。
【請求項４】
前記粉体粒子が、酸化チタンを主たる成分として含む粉体粒子であることを特徴とする、請求項１〜３の何れか一項に記載の粉体粒子表面の改質方法。
【請求項５】
前記粉体粒子が、酸化アルミ粒子を従たる成分として含む粉体粒子であることを特徴とする、請求項１〜４の何れか一項に記載の粉体粒子表面の改質方法。
【請求項６】
前記油剤が、シリコーン油であることを特徴とする、請求項１〜５の何れか一項に記載の粉体粒子表面の改質方法。
【請求項７】
前記油剤が、環状シリコーン油であることを特徴とする、請求項１〜６の何れか一項に記載の粉体粒子表面の改質方法。
【請求項８】
粉体粒子を前記油剤に浸漬させる工程を室温以上で行うことを特徴とする、請求項１〜７の何れか一項に記載の粉体粒子表面の改質方法。
【請求項９】
ピッカリングエマルションの乳化状態の調整方法であって、請求項１〜８の何れか一項に記載の粉体粒子表面の改質方法を用いて前記粉体粒子表面を改質する工程と、油相と水相の割合を調整する工程とを備える、乳化状態の調整方法。
【請求項１０】
請求項１〜８の何れか一項に記載の粉体粒子表面の改質方法を用いて粒子の表面を改質する工程と、表面が改質された粒子を用いて乳化を行う工程とを備える、ピッカリングエマルションの製造方法。
【手続補正２】
【補正対象書類名】明細書
【補正対象項目名】００１０
【補正方法】変更
【補正の内容】
【００１０】
本発明者らは、鋭意研究の結果、粒子を特定の油剤に浸漬させ、浸漬時間を変えることで簡易に粉体粒子の表面を改質することができることを見出し、本発明を完成させた。
すなわち、上記第１の課題を解決する本発明は、酸化チタン、酸化鉄、酸化亜鉛、酸化アルミニウム、酸化鉛及び酸化錫から選ばれる金属酸化物を含む粉体粒子を、分子構造中に酸素原子を有する油剤に浸漬させることを特徴とする、粉体粒子表面の改質方法である。
従来技術では、任意の乳化状態を有するエマルションを得るために目的の表面特質を有する粉体粒子を得るためには、まず表面処理剤を選択し、これと粒子を反応させるという煩雑な手間が必要であった。しかし、本発明の粉体粒子表面の改質方法によれば、このような煩雑な工程を踏むことなく、簡易に酸化チタン、酸化鉄、酸化亜鉛、酸化アルミニウム、酸化鉛及び酸化錫から選ばれる金属酸化物を含む粉体粒子表面を改質することができる。
【手続補正３】
【補正対象書類名】明細書
【補正対象項目名】００１１
【補正方法】変更
【補正の内容】
【００１１】
本発明の改質方法は、酸化チタンを含む粉体粒子に適用することが好ましい。
本発明により酸化チタンを含む粉体粒子の表面を改質することにより、紫外線防御能を有し、かつ安定なピッカリングエマルションを得ることが可能となる。
【手続補正４】
【補正対象書類名】明細書
【補正対象項目名】００１２
【補正方法】変更
【補正の内容】
【００１２】
本発明の改質方法は、前記金属酸化物を主たる成分として含む粉体粒子に適用することが好ましい。
【手続補正５】
【補正対象書類名】明細書
【補正対象項目名】００１３
【補正方法】変更
【補正の内容】
【００１３】
本発明の改質方法は、酸化チタンを主たる成分として含む粉体粒子に適用することが好ましい。
【手続補正６】
【補正対象書類名】明細書
【補正対象項目名】００１４
【補正方法】変更
【補正の内容】
【００１４】
本発明の改質方法は、酸化アルミ粒子を従たる成分として含む粉体粒子に適用することが好ましい。
【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
装置本体と、
媒体に印刷を行う印刷部と、
前記装置本体に対して着脱可能に設けられ、前記媒体を収容可能な媒体収容体と、
前記装置本体に設けられ、当該装置本体に装着された前記媒体収容体に収容される前記媒体に接触した状態で回転することにより、前記媒体収容体から前記媒体を取り出す第一ローラーと、
前記装置本体に設けられ、前記第一ローラーの回転により前記媒体収容体から取り出された前記媒体を挟み込んで回転することにより、当該媒体を前記印刷部に向けて搬送する第二ローラー及び第三ローラーと、
前記装置本体に対する前記媒体収容体の着脱に伴って、前記第二ローラーに対する前記第三ローラーの位置を変位させる変位機構と、を備え、
前記媒体収容体は、付勢部材の付勢力によって、収容する前記媒体を前記第一ローラーに押し付ける給送位置と、前記媒体を前記第一ローラーから前記付勢部材の付勢力に抗して離間させる待機位置との間を移動可能なホッパーを有し、
前記変位機構は、前記装置本体に前記媒体収容体を装着する際に、前記第三ローラーを前記第二ローラーに接触可能な接触位置に変位させ、前記装置本体から前記媒体収容体を引き出す際に、前記第三ローラーを前記第二ローラーから離れる非接触位置に変位させ、
前記第一ローラーは、前記給送位置にある前記ホッパーにより前記媒体が押し付けられた状態の下で前記媒体収容体の引き出しに伴って引き出される前記媒体との摩擦力によって、駆動源の駆動力が伝達されて回転する際の順回転方向とは逆となる逆回転方向に回転することが可能に構成されていることを特徴とする印刷装置。
【請求項２】
前記駆動源の駆動力は、前記第一ローラーが逆回転方向に回転することを許容する許容部を介して前記第一ローラーに伝達されることを特徴とする請求項１に記載の印刷装置。
【請求項３】
前記駆動源の駆動力を前記第一ローラーに伝達するための伝達機構と、
前記伝達機構から駆動力が伝達されることで前記第一ローラーを回転させる駆動歯車と、を備え、
前記伝達機構は、前記駆動歯車と接続可能なジョイント部材を有し、
前記許容部は、前記駆動歯車と前記ジョイント部材との接続部分に設けられていることを特徴とする請求項２に記載の印刷装置。
【請求項４】
前記装置本体は、前記媒体収容体を前記装置本体から引き出す際に、前記ホッパーの一部が接触することで前記付勢部材の付勢力に抗して前記ホッパーを前記待機位置に向かって変位させるカムを有し、
前記カムは、前記媒体収容体を前記装置本体から引き出す際に、前記変位機構によって前記第三ローラーが前記非接触位置に変位してから前記ホッパーの一部が接触するように設けられていることを特徴とする請求項３に記載の印刷装置。
【請求項５】
前記装置本体の奥行方向において、前記第一ローラーに対して前記第二ローラー及び前記第三ローラーが位置する側とは反対側に配置され、前記ホッパーにより付勢された前記媒体の面を前記第一ローラーと同じ側から押えることが可能な第四ローラーを備え、
前記第四ローラーは、前記給送位置にある前記ホッパーに対して前記第一ローラーよりも離れた位置に配置されていることを特徴とする請求項４に記載の印刷装置。
【手続補正書】
【提出日】令和1年11月13日(2019.11.13)
【手続補正１】
【補正対象書類名】特許請求の範囲
【補正対象項目名】全文
【補正方法】変更
【補正の内容】
【特許請求の範囲】
【請求項１】
装置本体と、
媒体に印刷を行う印刷部と、
前記装置本体に対して奥側から手前側に引き出すことで取り外し可能に設けられ、前記媒体を収容可能な媒体収容体と、
前記装置本体に装着された前記媒体収容体から前記媒体を取り出す際に前記媒体に接触するピックアップローラーと、を備え、
前記媒体収容体は、
収容する前記媒体を前記ピックアップローラーに押し付けるためのホッパーと、
前記ホッパーを上方に向けて付勢する付勢部材と、
前記ホッパーに設けられたエッジ部と、を有し、
前記ホッパーは、前記装置本体から前記媒体収容体を引き出す引出方向において手前側寄りとなる箇所を支点として回動可能とされ、奥側に位置する端部が持ち上がるように前記付勢部材により前記ピックアップローラーが位置する上方に向けて付勢され、
前記装置本体は、前記装置本体から前記媒体収容体を引き出す際に、前記ホッパーにおける前記支点よりも奥側の前記エッジ部が前記引出方向の奥側から接触するガイド面を有し、
前記ガイド面は、前記引出方向において、前記引出方向に延びる仮想線に対して奥側から手前側に下がり勾配をなすように延びていることを特徴とする印刷装置。
【請求項２】
前記ガイド面は、前記引出方向において、その奥側となる端部よりもその手前側となる端部の方が、前記仮想線に対する角度が小さくなるように設けられていることを特徴とする請求項１に記載の印刷装置。
【請求項３】
前記ガイド面は、前記引出方向においてその奥側から手前側に向けて、前記仮想線に対する角度が徐々に小さくなるように設けられていることを特徴とする請求項２に記載の印刷装置。
【請求項４】
前記ガイド面は、前記引出方向において前記仮想線に対して複数の角度を有するように延びていることを特徴とする請求項１に記載の印刷装置。
【請求項５】
前記ガイド面は、直線的に延びる複数の面が連なるように構成されていることを特徴とする請求項２から請求項４の何れか一項に記載の印刷装置。
【請求項６】
前記エッジ部は、前記ガイド面に接触する部分に、前記ガイド面に対して湾曲する湾曲面を有していることを特徴とする請求項１乃至請求項５のうち何れか一項に記載の印刷装置。
【手続補正書】
【提出日】平成30年12月28日(2018.12.28)
【手続補正１】
【補正対象書類名】特許請求の範囲
【補正対象項目名】全文
【補正方法】変更
【補正の内容】
【特許請求の範囲】
【請求項１】
１，１，１，３，３−ペンタフルオロプロパンと、アルミナ上に担持された金属または金属化合物を含む触媒と、１，３，３，３−テトラフルオロプロペンとを含む組成物であって、前記金属化合物は、ナトリウム、カリウム、亜鉛、マグネシウム、カルシウム、コバルト、銅、およびクロムの塩、ならびに、これらの混合物からなる群から選択されることを特徴とする組成物。
【請求項２】
前記金属化合物は、ナトリウム、カリウム、亜鉛、マグネシウム、カルシウム、コバルト、銅、およびクロムの、ハロゲン化物、重炭酸塩、炭酸塩、硝酸塩、酸化物、およびオキシフッ化物、ならびにこれらの混合物からなる群から選択される、請求項１に記載の組成物。
【請求項３】
前記金属化合物は、カリウム、亜鉛、およびマグネシウムの無機塩、ならびにこれらの混合物からなる群から選択される、請求項１または２に記載の組成物。
【請求項４】
前記金属化合物がＺｎＣｌ2である、請求項３に記載の組成物。
【請求項５】
前記金属化合物がＭｇＣｌ2である、請求項３に記載の組成物。
【請求項６】
１，１，１，３，３−ペンタフルオロプロパンと、アルミナ上に担持された金属または金属化合物を含む触媒とを含む組成物であって、前記金属は、ナトリウム、カリウム、亜鉛、マグネシウム、カルシウム、コバルト、銅、およびクロムの塩、ならびに、これらの混合物からなる群から選択されることを特徴とする組成物。
【請求項７】
金属または金属化合物を含む触媒の存在下で１，１，１，３，３−ペンタフルオロプロパンの脱フッ化水素化を行い、１，３，３，３−テトラフルオロプロペンを含む生成混合物を製造する方法によって生成される生成物であって、前記金属は、ナトリウム、カリウム、亜鉛、マグネシウム、カルシウム、コバルト、および銅の塩、ならびに、これらの混合物からなる群から選択され、１，３，３，３−テトラフルオロプロペンは前期生性混合物から分離されることを特徴とする生成物。
【請求項８】
１，１，１，３，３−ペンタフルオロプロパンを脱フッ化水素化して１，３，３，３−テトラフルオロプロペンを生成するための触媒であって、前記触媒は、アルミナ上に担持された少なくとも１種の金属化合物を含み、前記金属化合物は、ナトリウム、カリウム、亜鉛、マグネシウム、カルシウム、コバルト、および銅の塩からなる群から選択されることを特徴とする触媒。
【請求項９】
前記金属化合物は、ナトリウム、カリウム、亜鉛、マグネシウム、カルシウム、コバルト、および銅の、ハロゲン化物、重炭酸塩、炭酸塩、硝酸塩、酸化物、およびオキシフッ化物からなる群から選択される、請求項８に記載の触媒。
【請求項１０】
前記金属化合物は、カリウム、亜鉛、およびマグネシウムの塩からなる群から選択される、請求項８に記載の触媒。
【請求項１１】
前記金属化合物は、カリウム、亜鉛、およびマグネシウムの、ハロゲン化物、重炭酸塩、炭酸塩、硝酸塩、酸化物、およびオキシフッ化物からなる群から選択される、請求項１０に記載の触媒。
【請求項１２】
前記触媒がＨＦで処理されている、請求項８から１１のいずれかに記載の触媒。
【手続補正書】
【提出日】平成31年4月30日(2019.4.30)
【手続補正１】
【補正対象書類名】特許請求の範囲
【補正対象項目名】全文
【補正方法】変更
【補正の内容】
【特許請求の範囲】
【請求項１】
Ｒｈを５〜３０ｍａｓｓ％、
Ｔａを０．５〜５ｍａｓｓ％、
Ｃｏ、Ｃｒ、Ｎｉの少なくとも一種を０〜５ｍａｓｓ％、
Ｃｏ、Ｃｒ、Ｎｉの少なくとも一種とＴａを合計で５ｍａｓｓ％以下含有する、ことを特徴とする耐熱性Ｉｒ合金。
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
ガラス膜であって、前記ガラス膜がステップ状の縦方向の端部を有し、前記ステップの高さｈがガラス膜の厚さ未満であり、且つ縦方向の端部に隣接してガラス膜の中心に向かって、厚さが増加する移行領域があり、前記移行領域は縦方向の端部から中心に向かう方向において測定される幅ｂを有し、これが少なくとも高さｈと係数０．１との積に相応し、前記移行領域における厚さの増加は一定の曲率で生じ、且つ、前記移行領域においてガラスは火炎研磨表面を有し、且つ前記ガラス膜の厚さが５０μｍ未満である、前記ガラス膜。
【請求項２】
前記縦方向の端部が、上面と下面との両方の両側上で、好ましくはガラス膜の表面に平行にガラス膜の中心を通って延在する鏡面に関して鏡面対称にステップ形成されて、二重のステップが定義されている、請求項１に記載のガラス膜。
【請求項３】
前記ステップが、ステップの壁からその底部への移行部で凹曲部を有する、請求項１または２に記載のガラス膜。
【請求項４】
前記凹曲部が、半径ｒ≧２．５μｍを有する、請求項３に記載のガラス膜。
【請求項５】
前記凹曲部が、ステップの底部から壁への移行部で、ステップのショルダー部での凸曲部につながる、請求項３または４に記載のガラス膜。
【請求項６】
前記凸曲部が、半径ｒ≧２．５μｍを有する、請求項５に記載のガラス膜。
【請求項７】
幅対厚さのアスペクト比が、１００より大きい、請求項１から６までのいずれか１項に記載のガラス膜。
【請求項８】
前記ガラス膜の厚さが、５〜２５μｍである、請求項７に記載のガラス膜。
【請求項９】
前記ガラス膜が、ケイ酸塩ガラス、例えばアルカリケイ酸塩ガラス、アルカリ・アルカリ土類ケイ酸塩ガラス、ソーダ石灰ガラス、アルカリ石灰混合ケイ酸塩ガラス、ホウ素ケイ酸塩ガラス、リン酸ケイ酸塩ガラス、ホウ素リン酸ケイ酸塩ガラス、アルミニウムケイ酸塩ガラス、アルカリ・アルミニウムケイ酸塩ガラス、アルカリ・アルカリ土類アルミニウムケイ酸塩ガラス、ホウ素アルミニウムケイ酸塩ガラス、またはホウ素リン酸アルミニウムケイ酸塩ガラスを含む、請求項１から８までのいずれか１項に記載のガラス膜。
【手続補正書】
【提出日】令和1年6月6日(2019.6.6)
【手続補正１】
【補正対象書類名】特許請求の範囲
【補正対象項目名】請求項２
【補正方法】変更
【補正の内容】
【請求項２】
前記超音波の周波数が８００ｋＨｚ以下であることを特徴とする請求項１に記載の貴金属含有異種金属多層膜の除去方法。
【手続補正２】
【補正対象書類名】明細書
【補正対象項目名】００１３
【補正方法】変更
【補正の内容】
【００１３】
すなわち、本発明は、以下の発明に係るものである。
＜１＞  複数の貴金属又は貴金属合金の層を含む貴金属含有異種金属多層膜が付着した半導体製造装置パーツを、貴金属を溶解するエッチング液に浸漬しかつ超音波を照射しながら、前記半導体製造装置パーツに付着した貴金属含有異種金属多層膜を湿式エッチングにより除去する工程を含む貴金属含有異種金属多層膜の除去方法。
＜２＞  前記超音波の周波数が８００ｋＨｚ以下である前記＜１＞に記載の貴金属含有異種金属多層膜の除去方法。
＜３＞  エッチング液が、ヨウ素及び／又はヨウ化物塩を含むエッチング液である前記＜１＞又は＜２＞に記載の貴金属含有異種金属多層膜の除去方法。
＜４＞  エッチング液が、シアン化物塩を含むエッチング液である前記＜１＞又は＜２＞に記載の貴金属含有異種金属多層膜の除去方法。
＜５＞  エッチング液が、更にインヒビターを含む前記＜３＞又は＜４＞に記載の貴金属含有異種金属多層膜の除去方法。
＜６＞  インヒビターが、亜硝酸ナトリウムである前記＜５＞に記載の貴金属含有異種金属多層膜の除去方法。
＜７＞  亜硝酸ナトリウム／ヨウ素イオンのモル比が１．０以上である前記＜６＞に記載の貴金属含有異種金属多層膜の除去方法。
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
メッキ成形体の製造方法であって、
セルロースナノファイバーを含む熱可塑性樹脂を成形して、成形体を得ることと、
前記成形体に金属塩を含む無電解メッキ触媒液を接触させ、前記成形体の内部の前記セルロースナノファイバーに、金属イオンを吸着させることと、
前記無電解メッキ触媒液を接触させた前記成形体に、無電解メッキ液を接触させて、前記成形体の表面に無電解メッキ膜を形成することとを含む製造方法。
【請求項２】
前記成形体を前記無電解メッキ触媒液に接触させる前に、前記成形体に膨潤処理、又はエッチング処理を施すことを更に含む請求項１に記載の製造方法。
【請求項３】
前記無電解メッキ触媒液に含まれる金属塩が、塩化パラジウム、塩化銀、塩化銅、及び硝酸銀からなる群から選択される１つであることを特徴とする請求項１又は２に記載の製造方法。
【請求項４】
前記熱可塑性樹脂が、ポリアミド、ポリプロピレン、又はＡＢＳ樹脂を含むことを特徴とする請求項１〜３のいずれか一項に記載の製造方法。
【請求項５】
前記成形体を成形することが、
前記熱可塑性樹脂と、前記セルロースナノファイバーとを含む樹脂ペレットを用意することと、
前記樹脂ペレットを成形して、前記成形体を得ることとを含む請求項１〜４のいずれか一項に記載の製造方法。
【請求項６】
前記樹脂ペレットを用意することが、
前記熱可塑性樹脂を可塑化溶融した溶融樹脂と、前記セルロースナノファイバーが溶媒に分散したスラリーとの混合物を得ることと、
前記混合物から、前記溶媒を除去することと、
前記溶媒を除去した前記混合物を押出成形して、押出成形体を得ることと、
前記押出成形体を粉砕して、前記樹脂ペレットを得ることとを含む請求項５に記載の製造方法。
【請求項７】
前記樹脂ペレットを用意することが、
前記溶融樹脂と前記スラリーとの前記混合物に、水を加えることを更に含む請求項６に記載の製造方法。
【請求項８】
前記成形体に前記無電解メッキ触媒液を接触させることにより、前記成形体の内部に前記無電解メッキ触媒液が浸透することを特徴とする請求項１〜７のいずれか一項に記載の製造方法。
【請求項９】
メッキ成形体であって、
熱可塑性樹脂と、セルロースナノファイバーと、前記セルロースナノファイバーに吸着している無電解メッキ触媒とを含む成形体と、
前記成形体の表面に形成された無電解メッキ膜とを含むメッキ成形体。
【請求項１０】
前記成形体が、内部に発泡セルを有する発泡成形体であることを特徴とする請求項９に記載のメッキ成形体。
【請求項１１】
前記熱可塑性樹脂が、ポリアミド、ポリプロピレン、又はＡＢＳ樹脂を含むことを特徴とする請求項９又は１０に記載のメッキ成形体。
【手続補正２】
【補正対象書類名】明細書
【補正対象項目名】０００８
【補正方法】変更
【補正の内容】
【０００８】
本発明の第１の態様に従えば、メッキ成形体の製造方法であって、セルロースナノファイバーを含む熱可塑性樹脂を成形して、成形体を得ることと、前記成形体に金属塩を含む無電解メッキ触媒液を接触させ、前記成形体の内部の前記セルロースナノファイバーに、金属イオンを吸着させることと、前記無電解メッキ触媒液を接触させた前記成形体に、無電解メッキ液を接触させて、前記成形体の表面に無電解メッキ膜を形成することとを含む製造方法が提供される。
【手続補正３】
【補正対象書類名】明細書
【補正対象項目名】００１１
【補正方法】変更
【補正の内容】
【００１１】
本発明の第２の態様に従えば、メッキ成形体であって、熱可塑性樹脂と、セルロースナノファイバーと、前記セルロースナノファイバーに吸着している無電解メッキ触媒を含む成形体と、前記成形体の表面に形成された無電解メッキ膜とを含むメッキ成形体が提供される。
【手続補正書】
【提出日】平成31年4月1日(2019.4.1)
【手続補正１】
【補正対象書類名】明細書
【補正対象項目名】００８４
【補正方法】変更
【補正の内容】
【００８４】
図１０は、シール検査、プリウェット処理、および前処理の一実施形態を示すフローチャートである。図１０に示すステップ１からステップ１４は、図８に示すステップ１からステップ１４と同じである。ステップ１５では、ドレイン弁１６２を閉じた状態で、処理制御部１０９は前処理液供給弁１８２を開き、前処理液供給ライン１８１を通じて前処理液（プリソーク液ともいう）を外部空間Ｓ内に供給し、基板Ｗの露出した表面の全体に前処理液を接触させる。前処理液の液面が基板Ｗよりも高くなった時点で、処理制御部１０９は前処理液供給弁１８２を閉じる。
【手続補正２】
【補正対象書類名】明細書
【補正対象項目名】０１０８
【補正方法】変更
【補正の内容】
【０１０８】
プリウェット液と基板Ｗとの接触は、予め設定された時間の間維持される（ステップ１６）。上記予め設定された時間が経過した後、処理制御部１０９は、大気開放弁１７２ａを開き、大気開放ライン１７１ａを通じて第１外部空間Ｓ１を大気に連通させる（ステップ１７）。さらに、処理制御部１０９は、ドレイン弁１６２を開き、プリウェット液を第１外部空間Ｓ１からドレインライン１５６を通じて排出する（ステップ１８）。処理制御部１０９は、大気開放弁１７２およびドレイン弁１６２を同時に開いてもよい。なお、ドレインライン１５６に液検出センサが取り付けられてもよい。プリウェット液が第１外部空間Ｓ１からドレインライン１５６を通じて排出された後に、プリウェット液が液検出センサにより検出されなくなった段階で処理完了とし、その後、処理制御部１０９がドレイン弁１６２を閉じるようにしてもよい。
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
塗装又は印刷前に、基材の表面に対して９５°〜１５０°に傾けられたガスバーナーのヘッドから照射される火炎で表面処理されることを含む、基材の表面処理方法。
【請求項２】
前記ヘッドが基材の表面に対して１００°〜１３５°に傾けられている、請求項１に記載の基材の表面処理方法。
【請求項３】
前記ヘッドが基材の表面に対して１００°〜１２０°に傾けられている、請求項１に記載の基材の表面処理方法。
【請求項４】
前記基材へのバーナー処理量が基材１ｍ２に対し３０〜３００ｋＪの範囲である、請求項１〜３のいずれか１項に記載の基材の表面処理方法。
【請求項５】
前記基材は板材である、請求項１〜４のいずれか１項に記載の基材の表面処理方法。
【請求項６】
前記板材が、めっき鋼板、ステンレス鋼板、塗装鋼板、アルミニウム板、銅板又は普通鋼板から選択される、請求項５に記載の基材の表面処理方法。